(57)【要約】【課題】  本発明は、マスター閃光装置とワイヤレス閃光装置とが連動することによって増灯撮影に必要な照明光を得る照明システムに関し、リモート閃光装置の位置および姿勢にかかわる制約の緩和や解消が安価に図られることを目的とする。【解決手段】  光を発するマスター照明装置と、受光部を有し、前記受光部を介して前記マスター照明装置からの光の受光に応じて光を発するリモート照明装置と、少なくとも１つの前記リモート照明装置を支持可能で、前記リモート照明装置が撮影レンズまたはカメラによって前記受光部に対する前記マスター照明装置からの光の入射が遮られる位置にある場合、前記マスター照明装置からの光を前記受光部または前記受光部の方向に導く導光路を有する部材とを備えて構成される。【選択図】      図１
2007114644.tif 000002
【特許請求の範囲】
【請求項１】
光を発するマスター照明装置と、
受光部を有し、前記受光部を介して前記マスター照明装置からの光の受光に応じて光を発するリモート照明装置と、
少なくとも１つの前記リモート照明装置を支持可能で、前記リモート照明装置が撮影レンズまたはカメラによって前記受光部に対する前記マスター照明装置からの光の入射が遮られる位置にある場合、前記マスター照明装置からの光を前記受光部または前記受光部の方向に導く導光路を有する部材と
を備えたことを特徴とする照明システム。
【請求項２】
光を発するマスター照明装置と、
受光部を有し、前記受光部を介して前記マスター照明装置からの光の受光に応じて光を発するリモート照明装置と、
カメラと、撮影レンズと、前記リモート照明装置との何れかに支持され、前記リモート照明装置が前記撮影レンズまたは前記カメラによって前記受光部に対する前記マスター照明装置からの光の入射が遮られる位置にある場合、前記マスター照明装置からの光を前記受光部または前記受光部の方向に導く導光路を有する部材と
を備えたことを特徴とする照明システム。
【請求項３】
請求項１または請求項２に記載の照明システムにおいて、
前記部材は、
前記部材に対する前記マスター照明装置からの光の入射角を変更し、前記受光部に前記マスター照明装置からの光が導かれる光量を調整するプリズム部を有する
ことを特徴とする照明システム。
【請求項４】
請求項１または請求項２に記載の照明システムにおいて、
前記部材は、
前記部材を覆う覆部材を有し、前記覆部材を介して前記マスター照明装置からの光を前記受光部または前記受光部の方向に導く
ことを特徴とする照明システム。
【請求項５】
請求項１または請求項２に記載の照明システムにおいて、
前記部材は、
前記導光路から前記受光部の方向と異なる方向に対する前記マスター照明装置からの光の放射を抑える反射部材を有する
ことを特徴とする照明システム。
【請求項６】
請求項１ないし請求項５の何れか１項に記載の照明システムにおいて、
前記部材は、
前記リモート照明装置が前記撮影レンズの周りに支持される位置の変更が可能に構成された
ことを特徴とする照明システム。
【請求項７】
請求項１ないし請求項６の何れか１項に記載の照明システムにおいて、
前記部材は、
前記撮影レンズに周設可能である
ことを特徴とする照明システム。
【請求項８】
光を発するマスター照明装置と、
受光部を有し、前記受光部を介して前記マスター照明装置からの光の受光に応じて光を発するリモート照明装置と、
前記リモート照明装置を支持し、前記マスター照明装置からの光を反射させ、または散乱させることによって前記受光部の方向に導く台座と
を備えたことを特徴とする照明システム。
【請求項９】
光を発するマスター照明装置と、
受光部を有し、前記受光部を介して前記マスター照明装置からの光の受光に応じて光を発するリモート照明装置とを備え、
前記リモート照明装置は、
前記リモート照明装置の設置に用いられ、前記マスター照明装置からの光が透過する素材で構成された脚部を有し、
前記受光部は、
前記脚部の内部または近くに配置された
ことを特徴とする照明システム。
【請求項１０】
光を発するマスター照明装置と、
受光部を有し、前記受光部を介して前記マスター照明装置からの光の受光に応じて光を発するリモート照明装置と、
前記マスター照明装置からの光を反射させ、または散乱させる光学部材とを備え、
前記リモート照明装置は、
前記リモート照明装置の設置に用いられ、前記マスター照明装置からの光を前記光学部材を介して前記受光部の方向に導く脚部を有する
ことを特徴とする照明システム。
【発明の詳細な説明】
【技術分野】
【０００１】
本発明は、マスター閃光装置とワイヤレス閃光装置とが連動することによって増灯撮影に必要な照明光を得る照明システムに関する。
【背景技術】
【０００２】
ワイヤレス閃光装置は、増灯撮影として行われる接写撮影にも用いられる。このような増灯撮影に用いられるリモート閃光装置（スレーブ閃光装置）は、何れも、マスター閃光装置がシャッターに連動して発した光信号に確実に感応するように、その光信号の受光が可能な位置に適切な姿勢で設置される。
【特許文献１】特開２００１−１１７１４４号公報
【発明の開示】
【発明が解決しようとする課題】
【０００３】
しかし、リモート閃光装置は、例えば、撮影レンズの先端部に取り付けられたアダプターリングに装着された場合であっても、マスター閃光装置から発せられた光信号が遮られる位置では、その光信号に感応して発光することができなかった。
本発明は、リモート閃光装置の位置および姿勢にかかわる制約の緩和や解消が図られる撮影システムを安価に提供することを目的とする。
【課題を解決するための手段】
【０００４】
本発明にかかわる第一の照明システムでは、マスター照明装置は、光を発する。リモート照明装置は、受光部を有し、前記受光部を介して前記マスター照明装置からの光の受光に応じて光を発する。部材は、少なくとも１つの前記リモート照明装置を支持可能で、前記リモート照明装置が撮影レンズまたはカメラによって前記受光部に対する前記マスター照明装置からの光の入射が遮られる位置にある場合、前記マスター照明装置からの光を前記受光部または前記受光部の方向に導く導光路を有する。
【０００５】
本発明にかかわる第二の照明システムでは、マスター照明装置は、光を発する。リモート照明装置は、受光部を有し、前記受光部を介して前記マスター照明装置からの光の受光に応じて光を発する。部材は、カメラと、撮影レンズと、前記リモート照明装置との何れかに支持され、前記リモート照明装置が前記撮影レンズまたは前記カメラによって前記受光部に対する前記マスター照明装置からの光の入射が遮られる位置にある場合、前記マスター照明装置からの光を前記受光部または前記受光部の方向に導く導光路を有する。
【０００６】
本発明にかかわる第三の照明システムでは、前記部材は、前記部材に対する前記マスター照明装置からの光の入射角を変更し、前記受光部に前記マスター照明装置からの光が導かれる光量を調整するプリズム部を有する。
本発明にかかわる第四の照明システムでは、前記部材は、前記部材を覆う覆部材を有し、前記覆部材を介して前記マスター照明装置からの光を前記受光部または前記受光部の方向に導く。
【０００７】
本発明にかかわる第五の照明システムでは、前記部材は、前記導光路から前記受光部の方向と異なる方向に対する前記マスター照明装置からの光の放射を抑える反射部材を有する。
本発明にかかわる第六の照明システムでは、前記部材は、前記リモート照明装置が前記撮影レンズの周りに支持される位置の変更が可能に構成される。
【０００８】
本発明にかかわる第七の照明システムでは、前記部材は、前記撮影レンズに周設可能に構成される。
本発明にかかわる第八の照明システムでは、マスター照明装置は、光を発する。リモート照明装置は、受光部を有し、前記受光部を介して前記マスター照明装置からの光の受光に応じて光を発する。台座は、前記リモート照明装置を支持し、前記マスター照明装置からの光を反射させ、または散乱させることによって前記受光部の方向に導く。
【０００９】
本発明にかかわる第九の照明システムでは、マスター照明装置は、光を発する。リモート照明装置は、受光部を有し、前記受光部を介して前記マスター照明装置からの光の受光に応じて光を発する。前記リモート照明装置は、前記リモート照明装置の設置に用いられ、前記マスター照明装置からの光が透過する素材で構成された脚部を有する。前記受光部は、前記脚部の内部または近くに配置される。
【００１０】
本発明にかかわる第十の照明システムでは、マスター照明装置は、光を発する。リモート照明装置は、受光部を有し、前記受光部を介して前記マスター照明装置からの光の受光に応じて光を発する。光学部材は、前記マスター照明装置からの光を反射させ、または散乱させる。前記リモート照明装置は、前記リモート照明装置の設置に用いられ、前記マスター照明装置からの光を前記光学部材を介して前記受光部の方向に導く脚部を有する。
【発明の効果】
【００１１】
本発明によれば、カメラの構成や撮影条件による制約が大幅に緩和され、かつワイヤレス閃光装置が用いられた所望の増灯撮影や接写撮影が柔軟に実現される。
【発明を実施するための最良の形態】
【００１２】
以下、図面に基づいて本発明の実施形態について詳細に説明する。
［第一の実施形態］
図１は、本発明の第一の実施形態を示す図である。図２は、本実施形態の主要部の詳細な構成を示す図である。図１および図２において、カメラ１０には、撮影に用いられる撮影レンズ１１が装着される。そのカメラ１０の頂部には、マスター閃光装置１２が装着される。撮影レンズ１１の鏡筒の先端部の内周には、光学フィルターなどのアダプターの取り付けに用いられるねじ（図示されない。）が予め設けられる。この鏡筒の先端部には、環状アダプター１３がこのねじにねじ込まれることによって締結される。また、環状アダプター１３の外周には溝１３ｃが予め形成され、その溝１３ｃには後述する環状ステージ１４が係合することによって装着される。
【００１３】
一方、環状ステージ１４は、環状アダプター１３ヘの装着のための係合爪１４ｐを有する。その係合爪１４ｐは、係合ばね１４ｓによって所定の係合位置の方向に付勢される。さらに、環状ステージ１４は、着脱釦１４ｂを有する。この着脱釦１４ｂは、係合ばね１４ｓの付勢力に抗して係合爪１４ｐと既述の溝１３ｃとの係合を可能とし、あるいはその係合を解除するために用いられる。また、環状ステージ１４の外側壁には、溝１４ｃが形成される。この溝１４ｃは、環状ステージ１４に対するリモート閃光装置１５の装着と、撮影レンズ１４の鏡筒の周りにおけるこのリモート閃光装置１５の位置の自在な変更とを可能とする。さらに、環状ステージ１４は、上述した係合爪１４ｐ、係合ばね１４ｓ、着脱釦１４ｂおよび溝１４ｃを含んで構成される機構部と、その環状ステージ１４の外壁の内、カメラ１０の筐体と対向する部分に張設された部材１４ＬＧとから構成される。この部材１４ＬＧは、赤外線の領域で透過性の板状体または膜として構成される。
【００１４】
環状ステージ１４は、環状アダプタ１３を介して撮影レンズ１１の鏡筒の先端部の周りに装着される。環状ステージ１４は、係合ばね１４ｓの付勢力に抗して着脱釦１４ｂが押下され、さらに、係合爪１４ｐが上述した溝１３ｃに係合した状態でその着脱釦１４ｂの押下が解除されることによって、上述した鏡筒の先端部に装着される。さらに、リモート閃光装置１５は、環状ステージ１４の溝１４ｃに係合した状態で装着される。なお、以下では、図１(a),(b) に示すように、リモート閃光装置１５の受光部１５ｗとマスター閃光装置１２の開口部との間に撮影レンズ１１の鏡筒が介在すると仮定する。
【００１５】
また、環状ステージ１４上におけるリモート閃光装置１５の位置は、例えば、溝１４ｃに係合爪１４ｐを係合させるための着脱釦１４ｂの操作に応じて、自在に変更可能である。
図３は、本発明の第一の実施形態の動作を説明する図である。
以下、図１〜図３を参照して本発明の第一の実施形態の動作を説明する。
【００１６】
マスター閃光装置１２は、カメラ１０および撮影レンズ１１を用いた撮影に際して、赤外線成分を含む閃光（以下、「第一の閃光」という。）を発する。このような第一の閃光は、撮影レンズ１１によって遮られるために、リモート閃光装置１５の受光部１５ｗに直接は到達しない。
しかし、部材１４ＬＧの一部は、上述した第一の閃光が直接照射される領域（図３(1))に位置する。部材１４ＬＧの内部では、このようにして直接照射された第一の閃光の成分の内、上述した赤外線成分の一部が入射し、かつ全反射を繰り返す（図３(2))。さらに、このようにして全反射が繰り替えられた赤外線成分の一部は、部材１４ＬＧの表面からリモート閃光装置１５の受光部１５ｗの方向に導かれる（図３(3))。
【００１７】
したがって、本実施形態によれば、リモート閃光装置１５は、マスター閃光装置１２によって発せられた第一の閃光が撮影レンズ１１によって遮られ、受光部１５ｗに直接到達しない状態であっても、増灯撮影に必要な閃光（以下、「第二の閃光」という。）をその第一の閃光に応答して発することができる。
なお、本実施形態では、環状ステージ１４は、撮影レンズ１１の先端部の全周に環状アダプタ１３を介して取り付けられる環状部材として構成されている。しかし、環状ステージ１４は、撮影レンズ１１の先端部の周りの一部に取り付け可能な弧状の部材として構成されてもよい。
【００１８】
また、本実施形態では、環状ステージ１４には、リモート閃光装置１５が１つのみ装着されている。しかし、このような環状ステージ１４には、図４に示すように、所望の複数のリモート閃光装置が並行して装着されてもよい。
さらに、本実施形態では、なるべく多くの赤外線成分が受光部１５ｗの方向に導かれるように、部材１４ＬＧの表面にプリズム１４ＬＧｐが突起または窪みとして形成されてもよい。なお、このようなプリズム１４ＬＧｐは、例えば、図２に示すように、リモート閃光装置１５の装着が可能な環状ステージ１４上の好適な位置や間隔を示すマークを兼ねてもよい。
【００１９】
また、本実施形態では、部材１４ＬＧは、板状体または膜として形成されている。しかし、部材１４ＬＧは、上述した赤外線成分を受光部１５ｗに導くライトガイドとしての機能するならば、如何なる形状、寸法、素材で構成されてもよい。
さらに、本実施形態では、部材１４ＬＧは、例えば、カメラ１０に近い方向から環状ステージ１４を覆うカバーとして構成されてもよい。
【００２０】
また、本実施形態では、部材１４ＬＧは、マスタ閃光装置１２によって照射された第一の閃光を受光部１５ｗの方向に単に反射してもよい。
さらに、本実施形態では、環状ステージ１４の本体が上述した部材１４ＬＧと同様の波長域に透過域を有する樹脂その他の素材で構成され、その部材１４ＬＧが備えられなくてもよい。
【００２１】
また、本実施形態では、部材１４ＬＧの透過域は、リモート閃光装置１５が応答可能であり、かつ第一の閃光のスペクトラムが分布する波長域であるならば、赤外線領域以外の如何なる波長域であってもよい。
さらに、本実施形態では、撮影レンズ１１の鏡筒先端部の断面の直径が既知の一通りの値であることを前提として、環状アダプタ１３および環状ステージ１４が構成されている。しかし、撮影レンズ１１の鏡筒先端部の外形や寸法が多様に異なる可能性がある場合には、例えば、個々の撮影レンズの外形に適した内径を有する環状アダプタが予め用意されてもよい。
【００２２】
また、本実施形態では、環状ステージ１４は、撮影レンズ１１の鏡筒先端部の周りに限定されず、その鏡筒の周りの何れの位置に取り付けられてもよい。
さらに、本実施形態では、部材１４ＬＧの形状、寸法および素材は、受光部１５ｗと部材１４ＬＧとの間における光学的な結合が十分に密となるならば、如何なるものであってもよい。
【００２３】
また、本実施形態では、受光部１５ｗは、部材１４ＬＧを介して導かれる赤外線成分と、その部材１４ＬＧを介することなく入射する第一の閃光との何れも受光可能な配置、形状および寸法で、構成されてもよい。
さらに、本実施形態では、マスター閃光装置１２は、カメラ１０の頂部以外の如何なる位置に装着されてもよく、あるいはそのカメラ１０に内蔵されてもよい。
【００２４】
また、本実施形態では、マスター閃光装置１２によって第一の閃光が直接照射される領域に部材１４ＬＧの一部が位置している。しかし、マスター閃光装置１２からその部材１４ＬＧに至る既述の赤外線成分の光路が例えば反射や散乱によって確実に形成されるならば、部材１４ＬＧの位置は如何なるものであってもよい。
さらに、本実施形態では、部材１４ＬＧから受光部１５ｗの方向以外の方向に既述の赤外線成分が放射されることを回避する鏡面がその部材１４ＬＧの表面に形成されることによって、リモート閃光装置１５の応答の安定化が図られてもよい。
【００２５】
また、本実施形態では、マスター閃光装置１２から受光部１５ｗに直接入射すべき第一の閃光が撮影レンズ１１のみによって遮られている。しかし、このような第一の閃光がカメラ１０によって遮られる場合であっても、本発明は同様に適用可能である。
［第二の実施形態］
図５は、本発明の第二の実施形態を示す図である。図において、リモート閃光装置１５は、既述の環状ステージ１４に代わる台座２１の上部に装着される。そのリモート閃光装置１５の受光部１５ｗの開口部は、この台座２１の上部に対向する。また、台座２１は、既述の赤外線成分を透過しない素材（例えば、白色の樹脂）が成形されることによって構成される。
【００２６】
なお、本実施形態では、図１に示すカメラ１０に撮影レンズ１１およびマスター閃光装置１２が装着されるが、その撮影レンズ１１には環状アダプタ１３および環状ステージ１４が装着されることなく撮影が行われる。
以下、図１および図５を参照して本発明の第二の実施形態の動作を説明する。
リモート閃光装置１５は、既述の通りに台座２１の上部に装着される。さらに、リモート閃光装置１５の姿勢は、そのリモート閃光装置１５によって発せられる第二の閃光に応じて所望の被写体の逆光撮影がカメラ１０によって実現されるように、予め設定される。
【００２７】
撮影に際してマスター閃光装置１２から発せられた第一の閃光は、図５に破線（または点線）で示すように台座２１の上部に達し、その上部において散乱または反射することによって、受光部１５ｗの方向に導かれる。リモート閃光装置１５は、このようにして導かれた第一の閃光の赤外線成分に応答することによって、第二の閃光を発する。
すなわち、環状ステージ１４に対して大きく隔たった位置にリモート閃光装置１５が単体で配置される状態においても、リモート閃光装置１５は、マスター閃光装置１２と同期して撮影に必要な第二の閃光を発することができる。
【００２８】
また、台座２１の上部の表面は既述の散乱がほぼ一様に生じる荒さで予め成形されるので、リモート閃光装置１５が台座２１に対して多様な角度で装着された場合であっても、その散乱による受光部１５ｗへの赤外線成分の導きが安定に実現される。
したがって、本実施形態によれば、例えば、図６に示すようにリモート閃光装置の受光部がそのリモート閃光装置の筐体の内部に配置された場合より、大幅に多様な撮影条件におけるリモート閃光装置の使用が可能となる。
［第三の実施形態］
図７は、本発明の第三の実施形態を示す図である。図において、リモート閃光装置３１は、既述のリモート閃光装置１５に代えて備えられ、かつ図１に示す環状ステージ１４、または図５に示す台座２１に装着される。また、リモート閃光装置３１は、脚部３１Ｌを有する。このような脚部３１Ｌは、既述の赤外線成分を透過する樹脂その他の素材が成形されることによって構成され、かつ上述した環状ステージ１４や台座２１に対する装着に適した形状およびサイズを有する。さらに、その脚部３１Ｌの内部には、図７に点線で示すように、既述の受光部１５ｗに相当する受光部３１ｗが配置される。
【００２９】
以下、図１、図５および図７を参照して本実施形態の動作を説明する。
本実施形態では、受光部３１ｗは、上述したように赤外線成分を透過する脚部３１Ｌの内部に配置される。したがって、受光部３１ｗは、既述の第一および第二の実施形態に比べて、部材１４ＬＧ（環状ステージ１４）に対して密に光結合する。さらに、受光部３１ｗは、台座２１の上部で既述の散乱が発生せず、あるいは十分に発生しない場合であっても、マスター閃光装置１２によって発せられた第一の閃光の赤外線成分を脚部３１Ｌを介して受光することができる。
【００３０】
したがって、本実施形態によれば、既述の第一および第二の実施形態に比べて、撮影条件にかかわる制約が大幅に緩和され、リモート閃光装置３１の多様な活用が可能となる。
なお、本実施形態では、受光部３１ｗは、その受光部３１ｗに上述した赤外線成分を反射や屈折により導く脚部３１Ｌの近傍に配置されてもよい。
また、このような赤外線成分は、脚部３１Ｌによってその脚部３１の外側に導かれた後に、この脚部以外の部材による反射や散乱によって受光部３１ｗに導かれてもよい。
【００３１】
さらに、上述した各実施形態では、リモート閃光装置１５、３１は、マスター閃光装置１２を兼ねることが可能に構成されてもよい。
また、本発明は、上述した実施形態に限定されるものではなく、本発明の範囲において多様な実施形態が可能であり、かつ構成要素の一部もしくは全てに如何なる改良が施されてもよい。
【図面の簡単な説明】
【００３２】
【図１】本発明の第一の実施形態を示す図である。
【図２】本実施形態の主要部の詳細な構成を示す図である。
【図３】本発明の第一の実施形態の動作を説明する図である。
【図４】環状ステージに複数のリモート閃光装置が装着された状態の一例を示す図である。
【図５】本発明の第二の実施形態を示す図である。
【図６】受光部が筐体内に配置されたリモート閃光装置の一例を示す図である。
【図７】本発明の第三の実施形態を示す図である。
【符号の説明】
【００３３】
１０…カメラ，  １１…撮影レンズ，  １２…マスター閃光装置，  １３…環状アダプタ，  １３ｃ…溝，  １４…環状ステージ，  １４ｂ…着脱釦，  １４ｃ…溝，  １４ｐ…係合爪，  １４ｓ…係合バネ，  １４ＬＧ…部材，  １４ＬＧｐ…プリズム，  １５，３１…リモート閃光装置，  １５ｗ，３１ｗ…受光部，  ２１…台座，  ３１Ｌ…脚部
【図１】
2007114644.tif 000003
【図２】
2007114644.tif 000004
【図３】
2007114644.tif 000005
【図４】
2007114644.tif 000006
【図５】
2007114644.tif 000007
【図６】
2007114644.tif 000008
【図７】
2007114644.tif 000009